(57)【要約】 【課題】 本発明の課題は、コントラス特性を向上させることができるプラズマディスプレイ装置及びその駆動方法を提供することにある。【解決手段】 本発明の実施形態に係るプラズマディスプレイ装置及び駆動方法は、プラズマディスプレイパネルにおいて、リセット期間を含む複数のサブフィールドが一つのフレームで構成され画面を表示する時、前記複数のサブフィールドの中で任意のサブフィールドのリセット期間に、第１スキャン電極と第２スキャン電極とにお互いに異なるリセットパルスを供給する。【選択図】図４
2005321803.tif 000002
【特許請求の範囲】
【請求項１】
リセット期間を含む複数のサブフィールドが一つのフレームで構成され画面を表示するプラズマディスプレイ装置において、
前記複数のサブフィールドの中で任意のサブフィールドのリセット期間に、第１スキャン電極と第２スキャン電極とに、互いに異なるリセットパルスが供給されることを特徴とするプラズマディスプレイ装置。
【請求項２】
前記第１スキャン電極と第２スキャン電極とは隣接した電極であることを特徴とする、請求項１記載のプラズマディスプレイ装置。
【請求項３】
前記第１スキャン電極と第２スキャン電極とは、それぞれ二つ以上のスキャン電極を含むスキャン電極グループからなることを特徴とする、請求項２記載のプラズマディスプレイ装置。
【請求項４】
前記任意のサブフィールドは、前記一つのフレームの一番目のサブフィールドであることを特徴とする、請求項１記載のプラズマディスプレイ装置。
【請求項５】
前記任意のサブフィールドの中で前記一つのフレームの一番目のサブフィールドのリセット期間の間、第１スキャン電極に供給されるリセットパルスは上昇ランプパルス及び下降ランプパルスを含み、
前記任意のサブフィールドの中で前記一つのフレームの一番目のサブフィールドのリセット期間の間、前記第２スキャン電極に供給されるリセットパルスは下降ランプパルスを含むことを特徴とする、請求項１記載のプラズマディスプレイ装置。
【請求項６】
前記一つのフレームの一番目のサブフィールドは、加重値が一番低いサブフィールドであることを特徴とする、請求項４又は５記載のプラズマディスプレイ装置。
【請求項７】
前記一つのフレームの一番目のサブフィールドを除いた残りのサブフィールドのリセット期間の間、第１スキャン電極及び第２スキャン電極に供給されるリセットパルスは下降ランプパルスを含むことを特徴とする、請求項５記載のプラズマディスプレイ装置。
【請求項８】
前記第１スキャン電極に上昇ランプパルスが供給される期間の間、前記第２スキャン電極に前記上昇ランプパルスの電圧より低い電圧で維持されることを特徴とする、請求項５記載のプラズマディスプレイ装置。
【請求項９】
前記上昇ランプパルスの電圧より低い電圧はサステイン電圧であることを特徴とする、 請求項８記載のプラズマディスプレイ装置。
【請求項１０】
前記一つのフレームの最後のサブフィールドのサステイン期間以後に、前記第１スキャン電極及び第２スキャン電極のそれぞれに供給されるパルスは下降ランプパルスを含むことを特徴とする、請求項５記載のプラズマディスプレイ装置。
【請求項１１】
前記一つのフレームの最後のサブフィールドのサステイン期間以後に、前記第１スキャン電極に供給されるパルスは、サステイン電圧で維持される維持パルスと、前記サステイン電圧から所定電圧まで下降する下降ランプパルスとを含み、
前記一つのフレームの最後のサブフィールドのサステイン期間以後に、前記第２スキャン電極に供給されるパルスは、サステイン電圧で維持される維持パルスであることを特徴とする、請求項５記載のプラズマディスプレイ装置。
【請求項１２】
前記第１スキャン電極に供給される維持パルスの期間は、前記第２スキャン電極に供給される維持パルスの期間より短いことを特徴とする、請求項１１記載のプラズマディスプレイ装置。
【請求項１３】
前記第２スキャン電極に供給されるサステイン電圧の維持パルスは、
前記一つのフレーム以後、次のフレームの一番目のサブフィールドのリセット期間に、前記第１スキャン電極に下降ランプパルスが供給される前まで維持されることを特徴とする、請求項１１記載のプラズマディスプレイ装置。
【請求項１４】
前記一つのフレームの最後のサブフィールドのサステイン期間以後に、前記第１スキャン電極及び第２スキャン電極のそれぞれに供給されるパルスは、サステイン電圧で維持される維持パルスであることを特徴とする、請求項５記載のプラズマディスプレイ装置。
【請求項１５】
前記第１スキャン電極及び第２スキャン電極のそれぞれに供給されるサステイン電圧の維持パルスは、それぞれ、
前記一つのフレーム以後、次のフレームの一番目のサブフィールドのリセット期間に前記第１スキャン電極に下降ランプパルスが供給される前まで維持されると共に、第２スキャン電極に上昇ランプパルスが供給される前まで維持されることを特徴とする、請求項１４記載のプラズマディスプレイ装置。
【請求項１６】
前記一つのフレームの最後のサブフィールドのサステイン期間以後に、前記第１スキャン電極に供給されるパルスは、サステイン電圧から徐々に上昇して所定の電圧まで上昇する上昇ランプパルスであり、
前記一つのフレームの最後のサブフィールドのサステイン期間以後に、前記第２スキャン電極に供給されるパルスは、サステイン電圧で維持される維持パルスであることを特徴とする、請求項５記載のプラズマディスプレイ装置。
【請求項１７】
前記第１スキャン電極に供給される前記上昇ランプパルスの所定電圧と、前記第２スキャン電極に供給される前記維持パルスのサステイン電圧とは、
前記一つのフレーム以後、次のフレームの一番目のサブフィールドのリセット期間の間まで維持されることを特徴とする、請求項１６記載のプラズマディスプレイ装置。
【請求項１８】
リセット期間を含む複数のサブフィールドが一つのフレームで構成され画面を表示するプラズマディスプレイ装置の駆動方法において、
前記複数のサブフィールドの中で任意のサブフィールドのリセット期間に、第１スキャン電極と第２スキャン電極とに、互いに異なるリセットパルスが供給されることを特徴とするプラズマディスプレイ装置の駆動方法。
【請求項１９】
前記第１スキャン電極と第２スキャン電極とは隣接した電極であることを特徴とする、請求項１８記載のプラズマディスプレイ装置の駆動方法。
【請求項２０】
前記第１スキャン電極と第２スキャン電極とは、それぞれ二つ以上のスキャン電極を含むスキャン電極グループからなることを特徴とする、請求項１９記載のプラズマディスプレイ装置の駆動方法。
【請求項２１】
前記任意のサブフィールドは、前記一つのフレームの一番目のサブフィールドであることを特徴とする、請求項１８記載のプラズマディスプレイ装置の駆動方法。
【請求項２２】
前記任意のサブフィールドの中で前記一つのフレームの一番目のサブフィールドのリセット期間の間、第１スキャン電極に供給されるリセットパルスは上昇ランプパルス及び下降ランプパルスを含み、
前記任意のサブフィールドの中で前記一つのフレームの一番目のサブフィールドのリセット期間の間、前記第２スキャン電極に供給されるリセットパルスは下降ランプパルスを含むことを特徴とする、請求項１８記載のプラズマディスプレイ装置の駆動方法。
【請求項２３】
前記一つのフレームの一番目のサブフィールドは、加重値が一番低いサブフィールドであることを特徴とする、請求項２１又は２２記載のプラズマディスプレイ装置の駆動方法。
【請求項２４】
前記一つのフレームの一番目のサブフィールドを除いた残りのサブフィールドのリセット期間の間、第１スキャン電極及び第２スキャン電極に供給されるリセットパルスは下降ランプパルスを含むことを特徴とする、請求項２２記載のプラズマディスプレイ装置の駆動方法。
【請求項２５】
前記第１スキャン電極に上昇ランプパルスが供給される期間の間、前記第２スキャン電極に前記上昇ランプパルスの電圧より低い電圧で維持されることを特徴とする、請求項２２記載のプラズマディスプレイ装置の駆動方法。
【請求項２６】
前記上昇ランプパルスの電圧より低い電圧はサステイン電圧であることを特徴とする、 請求項２５記載のプラズマディスプレイ装置の駆動方法。
【請求項２７】
前記一つのフレームの最後のサブフィールドのサステイン期間以後に、前記第１スキャン電極及び第２スキャン電極のそれぞれに供給されるパルスは下降ランプパルスを含むことを特徴とする、請求項２２記載のプラズマディスプレイ装置の駆動方法。
【請求項２８】
前記一つのフレームの最後のサブフィールドのサステイン期間以後に、前記第１スキャン電極に供給されるパルスは、サステイン電圧で維持される維持パルスと、前記サステイン電圧から所定電圧まで下降する下降ランプパルスとを含み、
前記一つのフレームの最後のサブフィールドのサステイン期間以後に、前記第２スキャン電極に供給されるパルスは、サステイン電圧で維持される維持パルスであることを特徴とする、請求項２２記載のプラズマディスプレイ装置の駆動方法。
【請求項２９】
前記第１スキャン電極に供給される維持パルスの期間は、前記第２スキャン電極に供給される維持パルスの期間より短いことを特徴とする、請求項２８記載のプラズマディスプレイ装置の駆動方法。
【請求項３０】
前記第２スキャン電極に供給されるサステイン電圧の維持パルスは、
前記一つのフレーム以後、次のフレームの一番目のサブフィールドのリセット期間に、前記第１スキャン電極に下降ランプパルスが供給される前まで維持されることを特徴とする、請求項２８記載のプラズマディスプレイ装置の駆動方法。
【請求項３１】
前記一つのフレームの最後のサブフィールドのサステイン期間以後に、前記第１スキャン電極及び第２スキャン電極のそれぞれに供給されるパルスは、サステイン電圧で維持される維持パルスであることを特徴とする、請求項２２記載のプラズマディスプレイ装置の駆動方法。
【請求項３２】
前記第１スキャン電極及び第２スキャン電極のそれぞれに供給されるサステイン電圧の維持パルスは、それぞれ、
前記一つのフレーム以後、次のフレームの一番目のサブフィールドのリセット期間に前記第１スキャン電極に下降ランプパルスが供給される前まで維持されると共に、第２スキャン電極に上昇ランプパルスが供給される前まで維持されることを特徴とする、請求項３１記載のプラズマディスプレイ装置の駆動方法。
【請求項３３】
前記一つのフレームの最後のサブフィールドのサステイン期間以後に、前記第１スキャン電極に供給されるパルスは、サステイン電圧から徐々に上昇して所定の電圧まで上昇する上昇ランプパルスであり、
前記一つのフレームの最後のサブフィールドのサステイン期間以後に、前記第２スキャン電極に供給されるパルスは、サステイン電圧で維持される維持パルスであることを特徴とする、請求項２２記載のプラズマディスプレイ装置の駆動方法。
【請求項３４】
前記第１スキャン電極に供給される前記上昇ランプパルスの所定電圧と、前記第２スキャン電極に供給される前記維持パルスのサステイン電圧とは、
前記一つのフレーム以後、次のフレームの一番目のサブフィールドのリセット期間の間まで維持されることを特徴とする、請求項３３記載のプラズマディスプレイ装置の駆動方法。
【発明の詳細な説明】
【技術分野】
【０００１】
本発明は、プラズマディスプレイ装置及びその駆動方法に関し、特に、コントラストを向上させることができるプラズマディスプレイ装置及びその駆動方法に関する。
【背景技術】
【０００２】
一般的にプラズマディスプレイパネル(Ｐlasma Ｄisplay Ｐanel :以下“ＰＤＰ”と称す)は、Ｈe+Ｘe、Ｎe+Ｘe、Ｈe+Ｎe+Ｘeなどの不活性混合ガスが放電するとき発生する紫外線が蛍光体を発光させることで画像を表示する。このようなＰＤＰは、薄膜化と大型化が容易だけでなく最近の技術開発によって画質が向上している。
【０００３】
図１を参照すれば、従来の３電極交流面放電型ＰＤＰは、スキャン電極Ｙ１〜Ｙｎ及びサステイン電極Ｚと、スキャン電極Ｙ１〜Ｙｎ及びサステイン電極Ｚと直交するアドレス電極Ｘ１〜Ｘｍを備える。
【０００４】
スキャン電極Ｙ１〜Ｙｎと、サステイン電極Ｚと、アドレス電極Ｘ１〜Ｘｍとの交差部には、Ｒ、Ｇ及びＢの何れか一つを表示するためのセル１が形成される。スキャン電極Ｙ１〜Ｙｎ及びサステイン電極Ｚは、図示しない上部基板上に形成される。上部基板には、図示しない誘電体層とＭｇＯ保護層がスキャン電極Ｙ１〜Ｙｎ及びサステイン電極Ｚを覆うように積層される。アドレス電極Ｘ１〜Ｘｍは、図示しない下部基板上に形成される。下部基板上には、水平で隣接したセルの間に光学的、電気的混信を防止するための隔壁が形成される。下部基板と隔壁の表面には、真空紫外線によって励起され可視光を放出する蛍光体が形成される。上部基板と下部基板との間の放電空間には、Ｈｅ＋Ｘｅ、Ｎｅ＋Ｘｅ、Ｈｅ＋Ｘｅ＋Ｎｅ等の放電に必要な混合ガスが注入される。
【０００５】
ＰＤＰは、画像の階調を具現するために、一つのフレームを発光回数が異なる複数のサブフィールドに分けて時分割駆動する。各サブフィールドは、全画面を初期化させるためのリセット期間と、走査ラインを選択し、選択された走査ラインからセルを選択するためのアドレス期間と、放電回数によって階調を具現するサステイン期間とに分けられる。例えば、２５６階調で画像を表示しようとする場合に、図２のように、１／６０秒に該当するフレーム期間（１６.６７ｍｓ）は８個のサブフィールドＳＦ１〜ＳＦ８に分けられる。８個のサブフィールドＳＦ１〜ＳＦ８のそれぞれは、上述したように、リセット期間と、アドレス期間と、サステイン期間とに分けられる。各サブフィールドのリセット期間とアドレス期間は、各サブフィールド毎に同一である反面、サステイン期間とそれに割り当てられるサステインパルスの数は、各サブフィールドにおいて２n（ｎ＝０、１、２、３、４、５、６、７）の割合で増加する。
【０００６】
図３は、ＰＤＰに適用される駆動波形の一例を示す。
【０００７】
図３を参照すれば、従来のＰＤＰ駆動方法は、各サブフィールド（ＳＦｉ、ＳＦｉ＋１）毎に、上昇ランプ波形Ｒａｍｐ−ｕｐを用いてセットアップ放電を起こし、下降ランプ波形Ｒａｍｐ−ｄｎを用いてセットダウン放電を起こしてセルを初期化させる。
【０００８】
各サブフィールド（ＳＦｉ、ＳＦｉ＋１）のリセット期間には、全てのスキャン電極Ｙに上昇ランプ波形Ｒａｍｐ−ｕｐが同時に供給される。これと同時に、サステイン電極Ｚとアドレス電極Ｘとには０[Ｖ]が供給される。上昇ランプ波形Ｒａｍｐ−ｕｐによって全画面のセル内で、スキャン電極Ｙとアドレス電極Ｘとの間と、スキャン電極Ｙとサステイン電極Ｚとの間とでセットアップ放電（Ｓｅｔ−ｕｐ  ｄｉｓｃｈａｒｇｅ）が起きる。このセットアップ放電によって、アドレス電極Ｘとサステイン電極Ｚ上には正極性（＋）の壁電荷が蓄積され、スキャン電極Ｙ上には負極性（−）の壁電荷が蓄積される。
【０００９】
上昇ランプ波形Ｒａｍｐ−ｕｐに続き、上昇ランプ波形Ｒａｍｐ−ｕｐのセットアップ電圧Ｖｓｅｔｕｐより低いサステイン電圧Ｖｓから落ち始め、負極性の特定電圧まで下降する下降ランプ波形Ｒａｍｐ−ｄｎが、スキャン電極Ｙに同時に供給される。これと同時に、サステイン電極Ｚにはバイアス電圧Ｖｚが供給され、アドレス電極Ｘには０[Ｖ]が供給される。バイアス電圧Ｖｚはサステイン電圧Ｖｓから決定される。ここでは、バイアス電圧Ｖｚをサステイン電圧Ｖｓに等しい電圧に設定している。下降ランプ波形Ｒａｍｐ−ｄｎが供給されるとき、スキャン電極Ｙとサステイン電極Ｚとの間にセットダウン放電（Ｓｅｔ−ｄｏｗｎ  ｄｉｓｃｈａｒｇｅ）が起きる。このセットダウン放電によってセットアップ放電時に発生された壁電荷の中でアドレス放電に不要の過度壁電荷が消去される。
【００１０】
各サブフィールド（ＳＦｉ、ＳＦｉ＋１）のアドレス期間には、負極性の書き込み電圧−ＶｗのスキャンパルスＳｃｐがスキャン電極Ｙに順次的に供給されると共に、そのスキャンパルスＳｃｐに同期される正極性データ電圧ＶｄのデータパルスＤｐがアドレス電極Ｘに供給される。このとき、スキャンパルスＳｃｐとデータパルスＤｐの電圧（−ＶｗとＶｄ）と、リセット期間に生成された壁電圧とが加わりながら、データパルスＤｐが供給されるセル内にはアドレス放電が発生される。
【００１１】
各サブフィールド（ＳＦｉ、ＳＦｉ＋１）のサステイン期間には、スキャン電極Ｙとサステイン電極Ｚとにサステイン電圧ＶｓのサステインパルスＳｕｓｐが交互に供給される。アドレス放電によって選択されたセルは、セル内の壁電圧とサステイン電圧Ｖｓとが加わりながら毎サステインパルスＳｕｓｐが供給される時ごとに、スキャン電極Ｙとサステイン電極Ｚとの間にサステイン放電、すなわち、表示放電が発生される。このサステイン期間とサステインパルスＳｕｓｐの数とは、サブフィールドに付与された輝度加重値によって変わる。
【００１２】
サステイン放電が完了した後、セル内の残留電荷を消去するための消去信号がスキャン電極Ｙやサステイン電極Ｚに供給されることもある。
【００１３】
図３のような駆動波形は、セットダウン放電が完了される時点において、下降ランプ波形Ｒａｍｐ−ｄｎのセットダウン電圧（最小値）がスキャンパルスＳｃｐの負極性の書き込み電圧−Ｖｗより△Ｖ程の高い電位に固定される。下降ランプ波形Ｒａｍｐ−ｄｎは、セットアップ放電によって過度に蓄積されたアドレス電極Ｘ上の正極性の壁電荷を減らす役割をし、セットダウン電圧が低いほどアドレス電極Ｘ上の壁電荷の減少量が大きく、セットダウン電圧が高いほどアドレス電極Ｘ上の壁電荷の減少量が小さい。従って、下降ランプ波形Ｒａｍｐ−ｄｎのセットダウン電圧が負極性の書き込み電圧−Ｖｗより高い電位で止まる程、アドレス電極Ｘ上に正極性の壁電荷が多く残留することができる。このため、図３の駆動波形は、アドレス放電に必要な電圧Ｖｄ、−Ｖｗを低めることができるため、ＰＤＰを低電圧に駆動することができるという長所がある。
【００１４】
このような方法で駆動される従来のＰＤＰにおいては、サブフィールドの階調に対応して安定的に画像を表示することができる。しかし、従来のＰＤＰはリセット期間の間発生される光によってコントラストが低下する問題点が発生する。
【００１５】
これを詳細に説明すれば、図３に示されたように従来のＰＤＰの駆動方法では、一つのフレームに含まれた全てのサブフィールドのリセット期間毎に上昇ランプ波形Ｒａｍｐ−ｕｐが供給され、これによって全てのサブフィールドのリセット期間毎にセットアップ放電が起きる。セットアップ放電は全ての放電セルに望む壁電荷が形成できるようにサステイン電圧Ｖｓより高い電圧であるセットアップ電圧Ｖｓｅｔｕｐまで上昇する上昇ランプ波形Ｒａｍｐ−ｕｐによって発生される。従って、上昇ランプ波形Ｒａｍｐ−ｕｐによって発生されるセットアップ放電によって全ての放電セルから所定の光が発生され、この光によってＰＤＰのコントラストが低下されることになる。
【発明の開示】
【発明が解決しようとする課題】
【００１６】
本発明の課題は、コントラス特性を向上させることができるプラズマディスプレイ装置及びその駆動方法を提供することにある。
【課題を解決するための手段】
【００１７】
本発明によるプラズマディスプレイ装置及び駆動方法では、プラズマディスプレイパネルにおいて、リセット期間を含む複数のサブフィールドが一つのフレームで構成され画面を表示する時、前記複数のサブフィールドの中で任意のサブフィールドのリセット期間に第１スキャン電極と第２スキャン電極とにお互いに異なるリセットパルスが供給されることを特徴とする。
【００１８】
また、本発明によるプラズマディスプレイ装置及び駆動方法では、前記第１スキャン電極と第２スキャン電極とは隣接した電極であることを特徴とする。
【００１９】
また、本発明によるプラズマディスプレイ装置及び駆動方法では、前記第１スキャン電極と第２スキャン電極とは、それぞれ二つ以上のスキャン電極を含むスキャン電極グループからなることを特徴とする。
【００２０】
また、本発明によるプラズマディスプレイ装置及び駆動方法では、前記任意のサブフィールドは、前記一つのフレームの一番目のサブフィールドであることを特徴とする。
【００２１】
また、本発明によるプラズマディスプレイ装置及び駆動方法では、前記任意のサブフィールドの中で前記一つのフレームの一番目のサブフィールドのリセット期間の間、第１スキャン電極に供給されるリセットパルスは上昇ランプパルス及び下降ランプパルスを含み、前記任意のサブフィールドの中で前記一つのフレームの一番目のサブフィールドのリセット期間の間、前記第２スキャン電極に供給されるリセットパルスは下降ランプパルスを含むことを特徴とする。
【００２２】
また、本発明によるプラズマディスプレイ装置及び駆動方法では、前記一つのフレームの一番目のサブフィールドは、加重値が一番低いサブフィールドであることを特徴とする。
【００２３】
また、本発明によるプラズマディスプレイ装置及び駆動方法では、前記一つのフレームの一番目のサブフィールドを除いた余りサブフィールドのリセット期間の間、第１スキャン電極及び第２スキャン電極に供給されるリセットパルスは下降ランプパルスを含むことを特徴とする。
【００２４】
また、本発明によるプラズマディスプレイ装置及び駆動方法では、前記第１スキャン電極に上昇ランプパルスが供給される期間の間、前記第２スキャン電極に前記上昇ランプパルスの電圧より低い電圧で維持されることを特徴とする。
【００２５】
また、本発明によるプラズマディスプレイ装置及び駆動方法では、前記上昇ランプパルスの電圧より低い電圧はサステイン電圧であることを特徴とする。
【００２６】
また、本発明によるプラズマディスプレイ装置及び駆動方法では、前記一つのフレームの最後のサブフィールドのサステイン期間以後に、前記第１スキャン電極及び第２スキャン電極のそれぞれに供給されるパルスは下降ランプパルスを含むことを特徴とする。
【００２７】
また、本発明によるプラズマディスプレイ装置及び駆動方法では、前記一つのフレームの最後のサブフィールドのサステイン期間以後に、前記第１スキャン電極に供給されるパルスは、サステイン電圧で維持される維持パルスと前記サステイン電圧から所定電圧まで降りる下降ランプパルスとを含み、前記一つのフレームの最後のサブフィールドのサステイン期間以後に、前記第２スキャン電極に供給されるパルスはサステイン電圧で維持される維持パルスであることを特徴とする。
【００２８】
また、本発明によるプラズマディスプレイ装置及び駆動方法では、前記第１スキャン電極に供給される維持パルスの期間は、前記第２スキャン電極に供給される維持パルスの期間より短いことを特徴とする。
【００２９】
また、本発明によるプラズマディスプレイ装置及び駆動方法では、前記第２スキャン電極に供給されるサステイン電圧の維持パルスは、前記一つのフレーム以後、次のフレームの一番目のサブフィールドのリセット期間に、前記第１スキャン電極に下降ランプパルスが供給される前まで維持されることを特徴とする。
【００３０】
また、本発明によるプラズマディスプレイ装置及び駆動方法では、前記一つのフレームの最後のサブフィールドのサステイン期間以後に、前記第１スキャン電極及び第２スキャン電極のそれぞれに供給されるパルスはサステイン電圧で維持される維持パルスであることを特徴とする。
【００３１】
また、本発明によるプラズマディスプレイ装置及び駆動方法では、前記第１スキャン電極及び第２スキャン電極のそれぞれに供給されるサステイン電圧の維持パルスは、前記一つのフレーム以後、次のフレームの一番目のサブフィールドのリセット期間に、前記第１スキャン電極に下降ランプパルスと第２スキャン電極とに上昇ランプパルスが供給される前まで維持されることを特徴とする。
【００３２】
また、本発明によるプラズマディスプレイ装置及び駆動方法では、前記一つのフレームの最後のサブフィールドのサステイン期間以後に、前記第１スキャン電極に供給されるパルスはサステイン電圧から徐徐に上昇して所定の電圧まで上昇する上昇ランプパルスであり、前記一つのフレームの最後のサブフィールドのサステイン期間以後に、前記第２スキャン電極に供給されるパルスはサステイン電圧で維持される維持パルスであることを特徴とする。
【００３３】
また、本発明によるプラズマディスプレイ装置及び駆動方法では、前記第１スキャン電極に供給される前記上昇ランプパルスの所定電圧と、前記第２スキャン電極に供給される前記維持パルスのサステイン電圧とは、前記一つのフレーム以後次のフレームの一番目のサブフィールドのリセット期間の間まで維持されることを特徴とする。
【発明の効果】
【００３４】
本発明のプラズマディスプレイ装置及び駆動方法によると、リセット期間に発生される光の量を減らすことでコントラスト特性を向上させることができる。
【発明を実施するための最良の形態】
【００３５】
以下、本発明の実施形態を添付した図面を参照して詳細に説明する。
【００３６】
図４は、本発明によるプラズマディスプレイ装置の構造を概略的に示した図である。
【００３７】
図４を参照すれば、本発明によるプラズマディスプレイ装置は、プラズマディスプレイパネル１００と、プラズマディスプレイパネル１００の下部基板(図示せず)に形成されたアドレス電極Ｘ１〜Ｘｍにデータを供給するためのデータ駆動部１２２と、プラズマディスプレイパネル１００の上部基板（図示せず）に形成されたスキャン電極Ｙ１〜Ｙｎを駆動するためのスキャン駆動部１２３と、プラズマディスプレイパネル１００の上部基板（図示せず）に形成された共通電極であるサステイン電極Ｚを駆動するためのサステイン駆動部１２４と、プラズマディスプレイパネル駆動時、データ駆動部１２２、スキャン駆動部１２３、サステイン駆動部１２４及びサステインパルス制御部１２６を制御するためのタイミングコントロール部１２１と、それぞれの駆動部(１２２、１２３、１２４)に必要な駆動電圧を供給するための駆動電圧発生部１２５とを含む。
【００３８】
このような、本発明によるプラズマディスプレイ装置は、リセット期間、アドレス期間及びサステイン期間に、アドレス電極、スキャン電極及びサステイン電極に駆動パルスが印加される少なくとも一つ以上のサブフィールドの組み合わせによってフレームからなる画像を表現する。
【００３９】
ここで、プラズマディスプレイパネル１００は、上部基板(図示せず)と下部基板(図示せず)が一定の間隔を隔てて合着され、上部基板には多数の電極、例えば、スキャン電極Ｙ１〜Ｙｎ及びサステイン電極Ｚが対を成して形成され、下部基板にはスキャン電極Ｙ１〜Ｙｎ及びサステイン電極Ｚと交差されるようにアドレス電極Ｘ１〜Ｘｍが形成される。
【００４０】
データ駆動部１２２には図示しない逆ガンマ補正回路、誤差拡散回路などによって逆ガンマ補正及び誤差拡散された後、サブフィールドマッピング回路によって各サブフィールドにマッピングされたデータが供給される。このようなデータ駆動部１２２は、タイミングコントロール部１２１からのタイミング制御信号ＣＴＲＸに応答してデータをサンプリングしてラッチした後、そのデータをアドレス電極Ｘ１〜Ｘｍに供給する。
【００４１】
スキャン駆動部１２３は、タイミングコントロール部１２１の制御の下にリセット期間の間、スキャン電極Ｙ１〜Ｙｎに他のリセットパルスを供給する。また、スキャン駆動部１２３は、タイミングコントローラ１２１の制御下にアドレス期間の間、スキャン電圧-ＶｙのスキャンパルスＳｃｐをスキャン電極Ｙ１〜Ｙｎに順次に供給する。スキャン駆動部１２３は、タイミングコントロール部１２１の制御の下に、サステイン駆動部１２４と交互に動作してサステインパルスＳｕｓｐをスキャン電極Ｙ１〜Ｙｎに供給する。
【００４２】
サステイン駆動部１２４は、タイミングコントロール部１２１の制御下に下降ランプ波形Ｒａｍｐ−ｄｎが発生される期間からアドレス期間の間、あるいはアドレス期間の間サステイン電圧Ｖｓのバイアス電圧をサステイン電極Ｚに供給し、サステイン期間の間スキャン駆動部１２３と相互に動作してサステインパルスＳｕｓｐをサステイン電極Ｚに供給する。
【００４３】
タイミングコントロール部１２１は、垂直/水平同期信号とクロック信号との入力を受けて、リセット期間、アドレス期間、サステイン期間において、各駆動部(１２２、１２３、１２４)の動作タイミングと同期化を制御するためのタイミング制御信号(ＣＴＲＸ、ＣＴＲＹ、ＣＴＲＺ)を発生し、そのタイミング制御信号(ＣＴＲＸ、ＣＴＲＹ、ＣＴＲＺ)を該当の駆動部(１２２、１２３、１２４)に供給することによって、各駆動部(１２２、１２３、１２４)を制御する。
【００４４】
一方、データ制御信号ＣＴＲＸには、データをサンプリングするためのサンプリングクロック、ラッチ制御信号、エネルギー回収回路と駆動スイッチ素子のオン/オフタイムを制御するためのスイッチ制御信号が含まれる。スキャン制御信号ＣＴＲＹには、スキャン駆動部１２３内のエネルギー回収回路と駆動スイッチ素子のオン/オフタイムを制御するためのスイッチ制御信号が含まれる。サステイン制御信号ＣＴＲＺには、サステイン駆動部１２４内のエネルギー回収回路と駆動スイッチ素子のオン/オフタイムを制御するためのスイッチ制御信号が含まれる。
【００４５】
駆動電圧発生部１２５は、セットアップ電圧Ｖｓｅｔｕｐ、スキャン共通電圧Ｖｓｃａｎ-ｃｏｍ、スキャン電圧−Ｖｙ、サステイン電圧Ｖｓ、データ電圧Ｖｄなどを発生する。このような駆動電圧は放電ガスの組成や放電セルの構造によって適宜変更可能である。
【００４６】
（１）第１の駆動方法
このような構造を有する本発明によるプラズマディスプレイ装置の駆動方法を見れば、次の図５乃至図８のようである。
【００４７】
図５は、本発明によるプラズマディスプレイ装置の第１駆動方法を説明するための図である。図５を参照すれば、本発明によるプラズマディスプレイ装置の第１駆動方法では、サブフィールドのリセット期間に供給される上昇ランプパルスＲａｍｐ−ｕｐは、一つのフレームに含まれた多数のサブフィールドの中で任意のサブフィールドに供給される。望ましくは、上昇ランプパルスＲａｍｐ−ｕｐは、一番目のサブフィールドにだけ供給される。ここで、一番目のサブフィールドは加重値が一番低いサブフィールドであるのが望ましい。そして、フレームの一番目のサブフィールドのリセット期間の間、第１スキャン電極と第２スキャン電極とには、互いに異なるリセットパルスが供給される。この時、第１スキャン電極と第２スキャン電極とは二つ以上のスキャン電極を含むスキャン電極グループから構成されても良いし、あるいは、単一のスキャン電極から構成されて、駆動されることができる。ただし、この時の第１スキャン電極と第２スキャン電極とは、互いに隣接した電極になることが望ましい。これは、互いに隣接したスキャン電極に互いに異なるリセット波形を入力し、プライミング電荷が隣接するセルの放電に影響を与えることを抑制するためである。
【００４８】
以下では、フレーム別に一番目のサブフィールドと残りサブフィールドとのリセット期間、アドレス期間、サステイン期間に供給される駆動波形による駆動方法を説明する。そして、説明の都合上、前述した第１スキャン電極と第２スキャン電極とをそれぞれ、奇数番目のスキャン電極と偶数番目のスキャン電極とで表現して説明する。
【００４９】
***** 第１フレーム *****
<一番目のサブフィールド>
第１フレームＳＦｊ（１Ｆｒａｍｅ）の一番目のサブフィールドＳＦ１のリセット期間には、偶数番目のスキャン電極Ｙｅにセットアップ電圧Ｖｓｅｔｕｐの上昇ランプ波形Ｒａｍｐ−ｕｐが供給される。これと同時に奇数番目のスキャン電極Ｙｏには、上昇ランプ波形の電圧より低い電圧レベルの放電制御電圧が供給される。望ましくは、放電制御電圧は、サステイン電圧Ｖｓレベルに設定する。そして、サステイン電極Ｚとアドレス電極Ｘとには０[Ｖ]が供給される。
【００５０】
上昇ランプ波形Ｒａｍｐ−ｕｐが供給された偶数番目のスキャン電極Ｙｅが形成されたセル内では、スキャン電極Ｙとアドレス電極Ｘとの間、スキャン電極Ｙとサステイン電極Ｚとの間でセットアップ放電が起きる。このセットアップ放電によってアドレス電極Ｘとサステイン電極Ｚ上には正極性(＋)の壁電荷が蓄積されるようになり、スキャン電極Ｙ上には負極性(−)の壁電荷が蓄積されるようになる。
【００５１】
放電制御電圧が供給された奇数番目のスキャン電極Ｙｏが形成されたセル内ではセットアップ放電が起きない。これを詳細に説明すれば、奇数番目のスキャン電極Ｙｏに供給される放電制御電圧はサステイン電圧Ｖｓに設定される。従って、セル内ではセットアップ放電が起きるほどの電圧が印加されることができずに、これによって奇数番目のスキャン電極Ｙｏが形成されたセル内ではセットアップ放電が発生されない。
【００５２】
上昇ランプ波形Ｒａｍｐ−ｕｐ及び放電制御電圧に続き、サステイン電圧Ｖｓから第１負極性電圧−Ｖｙ１まで電圧が漸進的に低くなる下降ランプ波形Ｒａｍｐ−ｄｎが全てのスキャン電極Ｙに供給される。サステイン電極Ｚには図示されたように、下降ランプ波形Ｒａｍｐ−ｄｎが供給される時期にバイアス電圧Ｖｚが供給されるが、下降ランプ波形が供給された後、アドレス期間が始まる時期にバイアス電圧の供給が開始されることもある。この時、バイアス電圧Ｖｚはサステイン電圧Ｖｓから決まる。アドレス電極Ｘには０[Ｖ]が供給される。
【００５３】
下降ランプ波形Ｒａｍｐ−ｄｎが供給されると、セットアップ放電が発生した偶数番目のスキャン電極Ｙｅが形成されたセル内でセットダウン放電が起きる。このセットダウン放電によってセットアップ放電時に発生された壁電荷の中でアドレス放電に不要な過度の壁電荷が消去される。一方、下降ランプ波形Ｒａｍｐ−ｄｎが供給されると、奇数番目のスキャン電極Ｙｏが形成されたセル内ではセットダウン放電が起きない。実際に、以前フレームＳＦｉ−１の最後のパルスによって全てのセルの壁電荷はオフセルの状態に収斂されている。これに対する詳細な説明は後述する。従って、セットアップ放電が発生されなかった奇数番目のスキャン電極Ｙｏが形成されたセル内では、セットダウン放電が起きない。
【００５４】
このようなリセット期間を経れば、全ての放電セルの壁電荷はオフセルの状態に収斂される。これを詳細に説明すれば、放電セルの壁電荷はサステイン放電の発生可否に対応しており、オンセル及びオフセルに区分される。オンセルの壁電荷はサステインパルスＳｕｓｐの電圧に対応して放電が起きることができることを意味する。オフセルの壁電荷はサステインパルスＳｕｓｐの電圧によって放電が起きず、スキャンパルスＳｃｐ及びデータパルスＤｐが供給される時放電が起きることができることを意味する。
【００５５】
アドレス期間には、第１負極性電圧−Ｖｙ１より絶対値が大きい第２負極性電圧−Ｖｙ２のスキャンパルスＳｃｐがスキャン電極Ｙに順次に供給されると共に、スキャンパルスＳｃｐに同期される正極性のデータ電圧ＶｄのデータパルスＤｐがアドレス電極Ｘに供給される。
【００５６】
スキャンパルスＳｃｐと、データパルスＤｐの電圧と、リセット期間に生成された壁電圧とが加わりながら、データパルスＤｐが供給されるセル内ではアドレス放電が発生される。このアドレス期間の間サステイン電極Ｚにはバイアス電圧Ｖｚ（サステイン電圧Ｖｓ）が供給される。
【００５７】
サステイン期間には、スキャン電極Ｙとサステイン電極Ｚとにサステイン電圧ＶｓのサステインパルスＳｕｓｐが交互に供給される。アドレス放電によって選択されたセルは、セル内の壁電圧とサステイン電圧Ｖｓとが加わりながら、毎サステインパルスＳｕｓｐが供給される時たびにスキャン電極Ｙとサステイン電極Ｚとの間にサステイン放電が発生される。
【００５８】
<一番目のサブフィールド以後のサブフィールド>
以後、第１フレームの一番目のサブフィールドＳＦ１のリセット期間を除いた、以後のサブフィールド(ＳＦ２、…)のリセット期間の間、全てのスキャン電極Ｙには下降ランプパルスＲａｍｐ−ｄｎが含まれたリセットパルスが供給される。
【００５９】
これを詳細に説明すれば、二番目のサブフィールドのリセット期間には、スキャン電極Ｙに一番目のサブフィールドのリセット期間に供給される上昇リセットパルスの電圧より低い電圧、望ましくはサステイン電圧Ｖｓが一定時間供給された後、そのサステイン電圧Ｖｓから第１負極性電圧−Ｖｙ１まで電圧が漸進的に低くなる下降ランプ波形Ｒａｍｐ−ｄｎが全てのスキャン電極Ｙに印加される。この時、セル内ではサステイン電圧Ｖｓが一定時間以上供給されながらセットアップ放電が起きた後、下降ランプ波形Ｒａｍｐ−ｄｎによってセットダウン放電が起きる。このセットダウン放電によってセットアップ放電時に発生された壁電荷の中で、アドレス放電に不要な過度の壁電荷が消去される。そして、一番目のサブフィールドのサステイン期間にサステイン放電が起きなった放電セルは、オフセル壁電荷を維持しているためセットダウン放電が起きない。
【００６０】
スキャン電極Ｙに下降ランプ波形Ｒａｍｐ−ｄｎが供給される期間の間、サステイン電極Ｚにはバイアス電圧Ｖｚが供給される。ただし、一番目のサブフィールドと同様に、バイアス電圧はアドレス期間が始まる時期に供給を開始されることもある。
【００６１】
アドレス期間には、第１負極性電圧−Ｖｙ１より絶対値が高い第２負極性電圧−Ｖｙ２のスキャンパルスＳｃｐがスキャン電極Ｙに順次に供給されると共に、スキャンパルスＳｃｐに同期される正極性データ電圧ＶｄのデータパルスＤｐがアドレス電極Ｘに供給される。
【００６２】
スキャンパルスＳｃｐと、データパルスＤｐの電圧と、リセット期間に生成された壁電圧とが加わりながら、データパルスＤｐが供給されるセル内ではアドレス放電が発生される。このアドレス期間の間サステイン電極Ｚにはバイアス電圧Ｖｚが供給される。
【００６３】
サステイン期間には、スキャン電極Ｙとサステイン電極Ｚにサステイン電圧ＶｓのサステインパルスＳｕｓｐが交互に供給される。アドレス放電によって選択されたセルは、セル内の壁電圧とサステイン電圧Ｖｓとが加わりながら、毎サステインパルスＳｕｓｐが供給される時ごとに、スキャン電極Ｙとサステイン電極Ｚとの間にサステイン放電が発生される。実際に、本発明では、このような過程を繰り返しながらデータに対応する所定の画像を表示するようになる。
【００６４】
<最後のサーフフィールド>
一方、第１フレームの最後のサブフィールドＳＦｋのサステイン期間以後に、全てのスキャン電極Ｙにはサステイン電圧Ｖｓが一定時間供給された後、そのサステイン電圧Ｖｓから第１負極性電圧−Ｖｙ１まで電圧が漸進的に低くなる下降ランプ波形Ｒａｍｐ−ｄｎが全てのスキャン電極Ｙに印加される。この時、セル内ではサステイン電圧Ｖｓが一定時間以上供給されながらセットアップ放電が起きた後、下降ランプ波形Ｒａｍｐ−ｄｎによってセットダウン放電が起きる。このセットダウン放電によって、セットアップ放電時に発生された壁電荷の中でアドレス放電に不要な過度の壁電荷が消去される。そして、ｋ番目のサブフィールドのサステイン期間にサステイン放電が起きない放電セルはオフセル壁電荷を維持しているためセットダウン放電が起きない。
【００６５】
*****  第２フレーム  *****
<一番目のサブフィールド>
第２フレームＳＦｊ＋１（２Ｆｒａｍｅ）の一番目のサブフィールドＳＦ１のリセット期間には、奇数番目のスキャン電極Ｙｏにセットアップ電圧Ｖｓｅｔｕｐの上昇ランプ波形Ｒａｍｐ−ｕｐが供給される。これと同時に偶数番目のスキャン電極Ｙｅには、上昇ランプ波形の電圧より低い電圧レベルの放電制御電圧が供給される。望ましくは、放電制御電圧は、サステイン電圧レベルＶｓレベルの放電制御電圧に設定される。そして、サステイン電極Ｚとアドレス電極Ｘとには０[Ｖ]が供給される。
【００６６】
上昇ランプ波形Ｒａｍｐ−ｕｐが供給された奇数番目のスキャン電極Ｙｏが形成されたセル内では、スキャン電極Ｙとアドレス電極Ｘとの間、スキャン電極Ｙとサステイン電極Ｚとの間でセットアップ放電が起きる。このセットアップ放電によってアドレス電極Ｘとサステイン電極Ｚ上には正極性(＋)の壁電荷が蓄積されるようになり、スキャン電極Ｙ上には負極性(−)の壁電荷が蓄積されるようになる。
【００６７】
放電制御電圧が供給された偶数番目のスキャン電極Ｙｅが形成されたセル内ではセットアップ放電が起きない。これを詳細に説明すれば、偶数番目のスキャン電極Ｙｅに供給される放電制御電圧はサステイン電圧Ｖｓに設定される。従って、セル内ではセットアップ放電が起きるほどの電圧が印加されることができずに、これによって偶数番目のスキャン電極Ｙｅが形成されたセル内ではセットアップ放電が発生されない。
【００６８】
上昇ランプ波形Ｒａｍｐ−ｕｐ及び放電制御電圧に続き、サステイン電圧Ｖｓから第１負極性電圧−Ｖｙ１まで電圧が漸進的に低くなる下降ランプ波形Ｒａｍｐ−ｄｎが全てのスキャン電極Ｙに供給される。サステイン電極Ｚには、図示されたように、下降ランプ波形Ｒａｍｐ−ｄｎが供給される時期にバイアス電圧Ｖｚが供給されるが、下降ランプ波形が供給された後、アドレス期間が始まる時期にバイアス電圧の供給が開始されることもある。この時バイアス電圧Ｖｚはサステイン電圧Ｖｓから決まる。アドレス電極Ｘには０[Ｖ]が供給される。
【００６９】
下降ランプ波形Ｒａｍｐ−ｄｎが供給されると、セットアップ放電が発生された奇数番目のスキャン電極Ｙｏが形成されたセル内でセットダウン放電が起きる。このセットダウン放電によって、セットアップ放電の時発生された壁電荷の中でアドレス放電に不要な過度の壁電荷が消去される。一方、下降ランプ波形Ｒａｍｐ−ｄｎが供給されると、偶数番目のスキャン電極Ｙｅが形成されたセル内ではセットダウン放電が起きない。実際に、以前フレームＳＦiの下降ランプ波形Ｒａｍｐ−ｄｎによって、セルの壁電荷状態がオフセルの状態に移動されているために、偶数番目のスキャン電極Ｙｅが形成されたセル内ではセットダウン放電が起きない。
【００７０】
アドレス期間には、第１負極性電圧−Ｖｙ１より絶対値が高い第２負極性電圧−Ｖｙ２のスキャンパルスＳｃｐがスキャン電極Ｙに順次に供給されると共に、スキャンパルスＳｃｐに同期される正極性データ電圧ＶｄのデータパルスＤｐがアドレス電極Ｘに供給される。すると、スキャンパルスＳｃｐと、データパルスＤｐの電圧と、リセット期間に生成された壁電圧とが加わりながら、データパルスＤｐが供給されるセル内ではアドレス放電が発生される。このアドレス期間の間サステイン電極Ｚにはバイアス電圧Ｖｚが供給される。
【００７１】
サステイン期間には、スキャン電極Ｙとサステイン電極Ｚとにサステイン電圧ＶｓのサステインパルスＳｕｓｐが交互に供給される。アドレス放電によって選択されたセルは、セル内の壁電圧とサステイン電圧Ｖｓとが加わりながら、毎サステインパルスＳｕｓｐが供給される時ごとに、スキャン電極Ｙとサステイン電極Ｚとの間にサステイン放電が発生される。
【００７２】
<一番目のサブフィールド以後のサブフィールド>
一方、第２フレームの一番目のサブフィールドＳＦ１のリセット期間を除いた以後のサブフィールドの(ＳＦ２、…) リセット期間の間、全てのスキャン電極Ｙには下降ランプパルスＲａｍｐ−ｄｎが含まれたリセットパルスが供給される。
【００７３】
これを詳細に説明すれば、二番目のサブフィールドのリセット期間には、スキャン電極Ｙに一番目のサブフィールドのリセット期間に供給される上昇リセットパルスの電圧より低い電圧、望ましくはサステイン電圧Ｖｓが一定時間供給された後、そのサステイン電圧Ｖｓから第１負極性電圧−Ｖｙ１まで電圧が漸進的に低くなる下降ランプ波形Ｒａｍｐ−ｄｎが全てのスキャン電極Ｙに印加される。この時、セル内ではサステイン電圧Ｖｓが一定時間以上供給されながらセットアップ放電が起きた後、下降ランプ波形Ｒａｍｐ−ｄｎによってセットダウン放電が起きる。このセットダウン放電によって、セットアップ放電時に発生された壁電荷の中でアドレス放電に不要な過度の壁電荷が消去される。そして、一番目のサブフィールドのサステイン期間にサステイン放電が起きない放電セルは、オフセル壁電荷を維持しているためセットダウン放電が起きない。
【００７４】
スキャン電極Ｙに下降ランプ波形Ｒａｍｐ−ｄｎが供給される期間の間、サステイン電極Ｚにはバイアス電圧Ｖｚが供給される。ただし、j 番目のフレームの一番目のサブフィールドと同様に、バイアス電圧はアドレス期間が始まる時期に供給が開始されることもある。
【００７５】
アドレス期間には、第１負極性電圧−Ｖｙ１より絶対値が高い第２負極性電圧−Ｖｙ２のスキャンパルスＳｃｐがスキャン電極Ｙに順次に供給されると共に、スキャンパルスＳｃｐに同期される正極性データ電圧ＶｄのデータパルスＤｐがアドレス電極Ｘに供給される。
【００７６】
スキャンパルスＳｃｐと、データパルスＤｐの電圧と、リセット期間に生成された壁電圧とが加わりながら、データパルスＤｐが供給されるセル内ではアドレス放電が発生される。このアドレス期間の間サステイン電極Ｚにはバイアス電圧Ｖｚが供給される。
【００７７】
サステイン期間には、スキャン電極Ｙとサステイン電極Ｚとにサステイン電圧ＶｓのサステインパルスＳｕｓｐが交互に供給される。アドレス放電によって選択されたセルはセル内の壁電圧とサステイン電圧Ｖｓとが加わりながら、毎サステインパルスＳｕｓｐが供給される時ごとに、スキャン電極Ｙとサステイン電極Ｚとの間にサステイン放電が発生される。
【００７８】
上述したように、本発明では、一つのフレームの一番目のサブフィールドのリセット期間に上昇ランプパルスＲａｍｐ−ｕｐを供給する。このように一つのフレームの一番目のサブフィールドのリセット期間に上昇ランプパルスＲａｍｐ−ｕｐが供給されると、上昇ランプパルスＲａｍｐ−ｕｐによって発生されるセットアップ放電が一つのフレームの一番目のサブフィールドで発生され、残り他のサブフィールドではセットアップ放電が発生されないため、これによってコントラスト特性を向上させることができる。また、本発明では、奇数(または偶数)番目のフレームの一番目のサブフィールドのリセット期間の間には、偶数番目のスキャン電極Ｙｅに上昇ランプ波形Ｒａｍｐ−ｕｐを供給し、偶数(または奇数)番目のフレームの一番目のサブフィールドのリセット期間の間には、奇数番目のスキャン電極Ｙｏに上昇ランプ波形Ｒａｍｐ−ｕｐを供給する。
【００７９】
すると、奇数(または偶数)番目のフレームの一番目のサブフィールドには、偶数番目のスキャン電極Ｙｅが形成されたセル内のみセットアップ放電が発生され、偶数(または奇数)番目のフレームの一番目のサブフィールドには、奇数番目のスキャン電極Ｙｏが形成されたセル内でセットアップ放電が発生される。すなわち、本発明では、セットアップ放電がフレームごとに偶数番目のスキャン電極Ｙｅが形成されたセルと奇数番目のスキャン電極Ｙｏが形成されたセル内とで交番的に発生されるように制御することで、コントラストをさらに向上させることができる。
【００８０】
一方、実験的にセットアップ放電がフレームごとに偶数番目のスキャン電極Ｙｅが形成されたセルと奇数番目のスキャン電極Ｙｏが形成されたセルとで交番的に発生されてもＰＤＰでは安定的に画像が表示される。
【００８１】
このように第１駆動方法によって駆動される本発明によるプラズマディスプレイ装置は、他の形態に駆動されることもできる。例えば、本発明ではフレームの境界部に印加される駆動波形の電圧値を多様に設定することができる。
【００８２】
（２）第２の駆動方法
図６は、本発明によるプラズマディスプレイ装置の第２駆動方法を説明するための図である。
【００８３】
図６を参照すれば、本発明によるプラズマディスプレイ装置の第２駆動方法は、一つのフレームに含まれた多数のサブフィールドの中で、一番目のサブフィールドのリセット期間に上昇ランプパルスＲａｍｐ−ｕｐを印加する。ここで、奇数(または偶数)番目のフレームの一番目のサブフィールドには、偶数番目のスキャン電極Ｙｅに上昇ランプパルスＲａｍｐ−ｕｐを供給し、偶数(または奇数)番目のフレームの一番目のサブフィールドには、奇数番目のスキャン電極Ｙｏに上昇ランプパルスＲａｍｐ−ｕｐを供給する。
【００８４】
実際に、図６に示された本発明によるプラズマディスプレイ装置による第２駆動方法において、一つのフレームの最後のサブフィールドに供給される駆動波形を除いた区間に印加される駆動波形は、図５に示された本発明によるプラズマディスプレイ装置の第１駆動方法と実質的に同一である。従って、本発明によるプラズマディスプレイ装置の第１駆動方法と実質的に同一の駆動波形が印加される区間に対する詳細な説明は省略することにする。
【００８５】
***** 第１フレーム *****
第１フレームにおいて、一番目のサブフィールドのリセット期間の間、上昇ランプパルスＲａｍｐ−ｕｐが供給されなかった奇数番目のスキャン電極Ｙｏには、最後のサブフィールドＳＦｋのサステイン期間以後に上昇ランプパルスの電圧より低い電圧、望ましくはサステイン電圧Ｖｓから下降する下降ランプ波形Ｒａｍｐ−ｄｎが供給される。この時、奇数番目のスキャン電極Ｙｏが形成されたセル内では、サステイン電圧Ｖｓが一定時間以上供給されながらサステイン放電が起きた後、下降ランプ波形Ｒａｍｐ−ｄｎによってセットダウン放電が起きる。このセットダウン放電によってサステイン放電時に発生された壁電荷の中でアドレス放電に不要な過度の壁電荷が消去される。
【００８６】
第１フレームにおいて、一番目のサブフィールドのリセット期間の間、上昇ランプパルスＲａｍｐ−ｕｐが供給された偶数番目のスキャン電極Ｙｅには、最後のサブフィールドＳＦｋのサステイン期間以後にサステイン電圧Ｖｓが供給される。このようなサステイン電圧Ｖｓは次のフレーム一番目のサブフィールドのリセット期間まで供給される。
【００８７】
一方、奇数番目のスキャン電極Ｙｏに最後のサブフィールドＳＦｋのサステイン期間以後に上昇ランプパルスの電圧より低い電圧、望ましくはサステイン電圧Ｖｓが一定時間維持されるように形成されたパルスを第１維持パルスとして、偶数番目のスキャン電極Ｙｅに最後のサブフィールドＳＦｋのサステイン期間以後にサステイン電圧Ｖｓが一定時間維持されるように形成されたパルスを第２維持パルスとすると、第１維持パルスは第２維持パルスよりさらに短い供給期間を有する。
【００８８】
***** 第２フレーム *****
第２フレームの一番目のサブフィールドＳＦ１のリセット期間の間、奇数番目のスキャン電極Ｙｏにはセットアップ電圧Ｖｓｅｔｕｐの上昇ランプ波形Ｒａｍｐ−ｕｐが供給される。この時、偶数番目のスキャン電極Ｙｅは以前フレームの最後のサブフィールドから印加されたサステイン電圧Ｖｓを維持(放電制御電圧)する。そして、サステイン電極Ｚとアドレス電極Ｘとには０[Ｖ]が供給される。
【００８９】
上昇ランプ波形Ｒａｍｐ−ｕｐが供給された奇数番目のスキャン電極Ｙｏが形成されたセル内では、スキャン電極Ｙとアドレス電極Ｘとの間、スキャン電極Ｙとサステイン電極Ｚとの間でセットアップ放電が起きる。このセットアップ放電によってアドレス電極Ｘとサステイン電極Ｚ上には正極性(＋)の壁電荷が蓄積されるようになり、スキャン電極Ｙ上には負極性(−)の壁電荷が蓄積されるようになる。
【００９０】
サステイン電圧Ｖｓが供給された偶数番目のスキャン電極Ｙｅが形成されたセル内ではセットアップ放電が起きない。上昇ランプ波形Ｒａｍｐ−ｕｐ及びサステイン電圧Ｖｓに続き、サステイン電圧Ｖｓから第１負極性電圧−Ｖｙ１まで電圧が漸進的に低くなる下降ランプ波形Ｒａｍｐ−ｄｎが全てのスキャン電極Ｙに供給される。この下降ランプ波形Ｒａｍｐ−ｄｎと同時に、サステイン電極Ｚにはバイアス電圧Ｖｚが供給され、アドレス電極Ｘには０[Ｖ]が供給される。
【００９１】
下降ランプ波形Ｒａｍｐ−ｄｎが供給されると、セットアップ放電が発生された奇数番目のスキャン電極Ｙｏが形成されたセルと、サステイン放電によって形成された壁電荷を維持している偶数番目のスキャン電極Ｙｅが形成されたセル内とで、セットダウン放電が起きる。このセットダウン放電によってセル内に形成された壁電荷の中でアドレス放電に不要な過度に形成された壁電荷が消去される。
【００９２】
このような本発明によるプラズマディスプレイ装置の第２駆動方法は、以前フレームの最後のサブフィールド以後の期間から印加されるサステイン電圧Ｖｓを現在フレームのリセット期間まで維持するようになる。言い換えると、以前フレームの最後のサブフィールドのサステイン期間以後に印加されるサステイン電圧Ｖｓは、奇数又は偶数番目のスキャン電極(Ｙｅ、Ｙｏ)に下降ランプパルスＲａｍｐ−ｄｎが供給されるまで維持される。これ以外の点では、本発明によるプラズマディスプレイ装置の第２駆動方法は、本発明によるプラズマディスプレイ装置の第１駆動方法と実質的に同一である。
第２駆動方法によっても、第１駆動方法と同様に、コントラスト特性を向上させ得る。
【００９３】
（３）第３駆動方法
図７は、本発明によるプラズマディスプレイ装置の第３駆動方法を説明するための図である。
【００９４】
図７を参照すれば、本発明によるプラズマディスプレイ装置の第３駆動方法は、一つのフレームに含まれた多数のサブフィールドの中で、一番目のサブフィールドのリセット期間にだけ上昇ランプパルスＲａｍｐ−ｕｐを印加する。ここで、奇数(または偶数)番目のフレームの一番目のサブフィールドには、偶数番目のスキャン電極Ｙｅにだけ上昇ランプパルスＲａｍｐ−ｕｐを供給し、偶数(または奇数)番目のフレームの一番目のサブフィールドには奇数番目のスキャン電極Ｙｏにだけ上昇ランプパルスＲａｍｐ−ｕｐを供給する。
【００９５】
実際に、図７に示された本発明によるプラズマディスプレイ装置の第３駆動方法は、一つのフレームの最後のサブフィールドに供給される駆動波形を除いた区間に印加される駆動波形が、図５に示された本発明によるプラズマディスプレイ装置の第１駆動方法と実質的に同一である。従って、本発明によるプラズマディスプレイ装置の第３駆動方法と実質的に同一の駆動波形が印加される区間に対する詳細な説明は略することにする。
【００９６】
***** 第１フレーム *****
第１フレームにおいて、最後のサブフィールドのサステイン期間以後に、全てのスキャン電極(Ｙｅ、Ｙｏ)にはサステイン電圧Ｖｓが供給される。このようなサステイン電圧Ｖｓは次のフレームの一番目のサブフィールドのリセット期間まで供給される。
【００９７】
***** 第２フレーム *****
第２フレームの一番目のサブフィールドＳＦのリセット期間の間、奇数番目のスキャン電極Ｙｏには、 j番目のフレームの最後のサブフィールドＳＦｋから供給されるサステイン電圧Ｖｓからセットアップ電圧Ｖｓｅｔｕｐ まで上昇される上昇ランプ波形Ｒａｍｐ−ｕｐが供給される。この時、偶数番目のスキャン電極Ｙｅは、以前フレームの最後のサブフィールドから印加されたサステイン電圧Ｖｓを維持する。そして、サステイン電極Ｚとアドレス電極Ｘとには０[Ｖ]が供給される。
【００９８】
上昇ランプ波形Ｒａｍｐ−ｕｐが供給された奇数番目のスキャン電極Ｙｏが形成されたセル内では、スキャン電極Ｙとアドレス電極Ｘとの間、スキャン電極Ｙとサステイン電極Ｚとの間でセットアップ放電が起きる。このセットアップ放電によってアドレス電極Ｘとサステイン電極Ｚ上には正極性(＋)の壁電荷が蓄積されるようになり、スキャン電極Ｙ上には負極性(−)の壁電荷が蓄積されるようになる。
【００９９】
サステイン電圧Ｖｓが供給された偶数番目のスキャン電極Ｙｅが形成されたセル内ではセットアップ放電が起きない。上昇ランプ波形Ｒａｍｐ−ｕｐ及びサステイン電圧Ｖｓに続き、サステイン電圧Ｖｓから第１負極性電圧−Ｖｙ１まで電圧が漸進的に低くなる下降ランプ波形Ｒａｍｐ−ｄｎが全てのスキャン電極Ｙに供給される。この下降ランプ波形Ｒａｍｐ−ｄｎと同時に、サステイン電極Ｚにはバイアス電圧Ｖｚが供給され、アドレス電極Ｘには０[Ｖ]が供給される。
【０１００】
下降ランプ波形Ｒａｍｐ−ｄｎが供給されると、セットアップ放電が発生された奇数番目のスキャン電極Ｙｏが形成されたセルと、サステイン放電によって形成された壁電荷を維持している偶数番目のスキャン電極Ｙｅが形成されたセル内とで、セットダウン放電が起きる。このセットダウン放電によってセル内に形成された壁電荷の中でアドレス放電に不要な過度に形成された壁電荷が消去される。
【０１０１】
このような本発明によるプラズマディスプレイ装置の第３駆動方法では、フレームの最後のサブフィールドのサステイン期間以後にスキャン電極Ｙにサステイン電圧Ｖｓを印加する。そして、スキャン電極Ｙに供給されたサステイン電圧Ｖｓは次のフレームの一番目のサブフィールドのリセット期間に上昇ランプパルスＲａｍｐ−ｕｐ又は下降ランプパルスＲａｍｐ−ｄｎが供給されるまで維持される。これ以外の点では、本発明によるプラズマディスプレイ装置の第３駆動方法は、本発明によるプラズマディスプレイ装置の第１駆動方法と実質的に同一である。
第３駆動方法によっても、第１駆動方法と同様に、コントラスト特性を向上させ得る。
【０１０２】
（４）第４駆動方法
一方、本発明によるプラズマディスプレイ装置の第３駆動方法において、上昇ランプパルスＲａｍｐ−ｕｐは、本発明によるプラズマディスプレイ装置の第４駆動方法である図８のように、以前フレームのサステイン期間以後に印加されることもできる。例えば、偶数(または奇数)番目のフレームの最後のサステイン期間以後に、偶数(または奇数)番目のスキャン電極Ｙｅ(またはＹｏ)に上昇ランプパルスＲａｍｐ−ｕｐが供給されることができる。この時、偶数(または奇数)番目のスキャン電極Ｙｅ(またはＹｏ)に供給された上昇ランプパルスＲａｍｐ−ｕｐは、次のフレームのリセット期間に下降ランプパルスＲａｍｐ−ｄｎが供給されるまでセットアップ電圧を維持する。このとき、奇数番目のスキャン電極Ｙｏにはサステイン電圧で維持される維持パルス（Ｖｓ）を供給する。奇数番目のスキャン電極Ｙｏは、次のフレームのリセット期間に上昇ランプパルスＲａｍｐ−ｕｐが印加されるまで、維持パルスの電圧Ｖｓに維持される。
第４駆動方法によっても、第１駆動方法と同様に、コントラスト特性を向上させ得る。
【図面の簡単な説明】
【０１０３】
【図１】従来の３電極交流面放電型プラズマディスプレイパネルの電極配置を概略的に示した図。
【図２】２５６階調を具現するための８ビットデフォルトコードのフレーム構成を示す図。
【図３】従来のプラズマディスプレイパネルを駆動するための駆動波形を示す波形図。
【図４】本発明によるプラズマディスプレイ装置の構造を概略的に示した図。
【図５】本発明によるプラズマディスプレイ装置の第１駆動方法を説明するための図。
【図６】本発明によるプラズマディスプレイ装置の第２駆動方法を説明するための図。
【図７】本発明によるプラズマディスプレイ装置の第３駆動方法を説明するための図。
【図８】本発明によるプラズマディスプレイ装置の第４駆動方法を説明するための図。
【図１】
2005321803.tif 000003
【図２】
2005321803.tif 000004
【図３】
2005321803.tif 000005
【図４】
2005321803.tif 000006
【図５】
2005321803.tif 000007
【図６】
2005321803.tif 000008
【図７】
2005321803.tif 000009
【図８】
2005321803.tif 000010